(57)【要約】【課題】  複数の環境快適装置を連携運転制御することにより、より快適な空間を創成し得るようにする。【解決手段】  相互通信可能な通信機能を具備した複数の環境快適装置（エアコン１、加湿器３、除湿器４）からなるネットワーク家電において、前記複数の環境快適装置のうち、温度センサーあるいは湿度センサーを具備していない装置を、温度センサーあるいは湿度センサーを具備した装置からの温度データあるいは湿度データを受信して、当該温度データあるいは湿度データに基づいて運転制御し得るように構成して、複数の環境快適装置のうち、温度センサーあるいは湿度センサーを具備していない装置であっても、温度センサーあるいは湿度センサーを具備した装置からの温度データあるいは湿度データを受信して、当該温度データあるいは湿度データに基づいて運転制御されるようにしている。【選択図】        図１
2005344940.tif 000002
【特許請求の範囲】
【請求項１】
相互通信可能な通信機能を具備した複数の環境快適装置からなるネットワーク家電であって、前記複数の環境快適装置のうち、温度センサーあるいは湿度センサーを具備していない装置を、温度センサーあるいは湿度センサーを具備した装置からの温度データあるいは湿度データを受信して、当該温度データあるいは湿度データに基づいて運転制御し得るように構成したことを特徴とするネットワーク家電。
【請求項２】
相互通信可能な通信機能を具備した複数の環境快適装置からなるネットワーク家電であって、前記複数の環境快適装置のうち、温度センサーあるいは湿度センサーを具備している装置を、温度センサーあるいは湿度センサーを具備した他の装置からの温度データあるいは湿度データを受信して、自身の温度データあるいは湿度データに温度センサーあるいは湿度センサーを具備した他の装置からの温度データあるいは湿度データを加味した温度データあるいは湿度データに基づいて運転制御し得るように構成したことを特徴とするネットワーク家電。
【請求項３】
相互通信可能な通信機能を具備した複数の環境快適装置からなるネットワーク家電であって、前記複数の環境快適装置には、温度センサーあるいは湿度センサーをそれぞれ付設するとともに、これらの温度センサーあるいは湿度センサーの検知データに所定の値以上の差異がある場合には、これらの検知データの平均値に基づいて前記複数の環境快適装置を運転制御し得るように構成したことを特徴とするネットワーク家電。
【請求項４】
相互通信可能な通信機能を具備した複数の環境快適装置からなるネットワーク家電であって、前記複数の環境快適装置には、温度センサーあるいは湿度センサーをそれぞれ付設するとともに、これらの温度センサーあるいは湿度センサーの検知データに所定の値以上の差異がある場合には、前記複数の環境快適装置における吹出風あるいは排気風の向きを空気の対流を促す方向で自動調整できるように構成したことを特徴とするネットワーク家電。
【請求項５】
相互通信可能な通信機能を具備した複数の環境快適装置からなるネットワーク家電であって、ユーザが希望の設定温度あるいは設定湿度を手動操作により設定できるようにするとともに、当該設定温度あるいは設定湿度に応じて前記複数の環境快適装置を自動で連携運転制御できるように構成したことを特徴とするネットワーク家電。
【請求項６】
相互通信可能な通信機能を具備した複数の環境快適装置からなるネットワーク家電であって、前記複数の環境快適装置のうち、一つの装置の運転と、他の装置の運転とが連動して行われるように構成したことを特徴とするネットワーク家電。
【発明の詳細な説明】
【技術分野】
【０００１】
本願発明は、ネットワーク家電に関し、さらに詳しくは複数の環境快適装置からなるネットワーク家電に関するものである。
【背景技術】
【０００２】
環境快適装置としては、エアコン、加湿器、除湿器、空気清浄機、マイナスイオン発生機、ファンヒータ、電気ストーブ等があり、従来では、これらの環境快適装置は、個別に運転制御されることとなっている。
【０００３】
ところで、近年、各種の家庭用電気製品（以下、家電製品という）の多くにマイクロプロセッサが搭載されるようになり、その多機能化が進んでいる。また、パーソナルコンピュータ（以下、パソコンという）を中心とする通信技術の進展に伴って、パソコンと家電製品とを相互に接続してデータ交換を行うことも実用化されつつある。例えば、電子レンジのような比較的高機能の調理用家電製品においては、そのようなネットワークを介してレシピを取得するといったコンピュータ通信技術の応用が提案され、一部の製品では実用化されている。
【０００４】
このような状況のもとにあって、家電製品においても家庭内でのネットワーク化が検討されており、例えば、通信手段を有する電気炊飯器と通信手段を有する電気湯沸器とが通信によって互いに接続され、前記電気湯沸器は、通信によって前記電気炊飯器が炊飯動作中であるか否かの情報を取得し、前記電気炊飯器が炊飯動作中である場合は湯沸かし動作が非能動状態となるように構成したものが提案されている（特許文献１参照）。
【０００５】
上記のように構成した場合、電気炊飯器による炊飯動作中においては電気湯沸器の湯沸かし動作が非能動状態とされることとなり、電力消費負荷を自動的に軽減することができ、極めて便利である。
【０００６】
【特許文献１】特開２００２−２８０７７号公報。
【発明の開示】
【発明が解決しようとする課題】
【０００７】
ところが、上記特許文献１に開示されている技術は、電気炊飯器と電気湯沸器とにより構成されるネットワーク家電に関するものであり、複数の環境快適装置からなるネットワーク家電には直ちに応用できるものではない。
【０００８】
環境快適装置として用いられる装置（即ち、エアコン、加湿器、除湿器、空気清浄機、マイナスイオン発生機、ファンヒータ、電気ストーブ等）の場合、複数の環境快適装置を連携運転制御することにより、室内をより快適な空間とすることができる。
【０００９】
本願発明は、上記の点に鑑みてなされたもので、複数の環境快適装置を連携運転制御することにより、より快適な空間を創成し得るようにすることを目的としている。
【課題を解決するための手段】
【００１０】
本願発明では、上記課題を解決するための第１の手段として、相互通信可能な通信機能を具備した複数の環境快適装置からなるネットワーク家電において、前記複数の環境快適装置のうち、温度センサーあるいは湿度センサーを具備していない装置を、温度センサーあるいは湿度センサーを具備した装置からの温度データあるいは湿度データを受信して、当該温度データあるいは湿度データに基づいて運転制御し得るように構成している。
【００１１】
上記のように構成したことにより、複数の環境快適装置のうち、温度センサーあるいは湿度センサーを具備していない装置であっても、温度センサーあるいは湿度センサーを具備した装置からの温度データあるいは湿度データを受信して、当該温度データあるいは湿度データに基づいて運転制御されることとなる。従って、温度センサーあるいは湿度センサーを具備していない装置でも、温度データあるいは湿度データに基づいた快適空間創成のために有効な運転制御を行うことができる。
【００１２】
本願発明では、上記課題を解決するための第２の手段として、相互通信可能な通信機能を具備した複数の環境快適装置からなるネットワーク家電において、前記複数の環境快適装置のうち、温度センサーあるいは湿度センサーを具備している装置を、温度センサーあるいは湿度センサーを具備した他の装置からの温度データあるいは湿度データを受信して、自身の温度データあるいは湿度データに温度センサーあるいは湿度センサーを具備した他の装置からの温度データあるいは湿度データを加味した温度データあるいは湿度データに基づいて運転制御し得るように構成している。
【００１３】
上記のように構成したことにより、複数の環境快適装置のうち、温度センサーあるいは湿度センサーを具備している装置が、温度センサーあるいは湿度センサーを具備した他の装置からの温度データあるいは湿度データを受信して、自身の温度データあるいは湿度データに温度センサーあるいは湿度センサーを具備した他の装置からの温度データあるいは湿度データを加味した温度データあるいは湿度データに基づいて運転制御されることとなる。従って、複数の環境快適装置が、自身の温度データあるいは湿度データに温度センサーあるいは湿度センサーを具備した他の装置からの温度データあるいは湿度データを加味した温度データあるいは湿度データに基づいた運転制御が実行されることとなり、環境快適装置の設置位置での温度データあるいは湿度データのばらつきを吸収した快適空間が得られる。
【００１４】
本願発明では、上記課題を解決するための第３の手段として、相互通信可能な通信機能を具備した複数の環境快適装置からなるネットワーク家電において、前記複数の環境快適装置に、温度センサーあるいは湿度センサーをそれぞれ付設するとともに、これらの温度センサーあるいは湿度センサーの検知データに所定の値以上の差異がある場合には、これらの検知データの平均値に基づいて前記複数の環境快適装置を運転制御し得るように構成している。
【００１５】
上記のように構成したことにより、複数の環境快適装置にそれぞれ付設された温度センサーあるいは湿度センサーの検知データに所定の値以上の差異がある場合には、これらの検知データの平均値に基づいて前記複数の環境快適装置が運転制御されることとなる。従って、環境快適装置の設置位置での温度データあるいは湿度データのばらつきを吸収した快適空間が得られる。
【００１６】
本願発明では、上記課題を解決するための第４の手段として、相互通信可能な通信機能を具備した複数の環境快適装置からなるネットワーク家電において、前記複数の環境快適装置に、温度センサーあるいは湿度センサーをそれぞれ付設するとともに、これらの温度センサーあるいは湿度センサーの検知データに所定の値以上の差異がある場合には、前記複数の環境快適装置における吹出風あるいは排気風の向きを空気の対流を促す方向で自動調整できるように構成している。
【００１７】
上記のように構成したことにより、複数の環境快適装置にそれぞれ付設された温度センサーあるいは湿度センサーの検知データに所定の値以上の差異がある場合には、室内の空気状態に片寄りが発生していると判断して、複数の環境快適装置における吹出風あるいは排気風の向きが空気の対流を促す方向で自動調整されることとなる。従って、室内の空気状態に片寄りが発生している場合には、複数の環境快適装置における吹出風あるいは排気風の向きが空気の対流を促す方向で自動調整され、室内を快適な空間となすことができる。
【００１８】
本願発明では、上記課題を解決するための第５の手段として、相互通信可能な通信機能を具備した複数の環境快適装置からなるネットワーク家電において、ユーザが希望の設定温度あるいは設定湿度を手動操作により設定できるようにするとともに、当該設定温度あるいは設定湿度に応じて前記複数の環境快適装置を自動で連携運転制御できるように構成している。
【００１９】
上記のように構成したことにより、ユーザが設定した設定温度あるいは設定湿度に応じて複数の環境快適装置が自動で連携運転制御されることとなる。従って、室内環境を、ユーザが希望した快適な状態となし得る。
【００２０】
本願発明では、上記課題を解決するための第６の手段として、相互通信可能な通信機能を具備した複数の環境快適装置からなるネットワーク家電において、前記複数の環境快適装置のうち、一つの装置の運転と、他の装置の運転とが連動して行われるように構成している。
【００２１】
上記のように構成したことにより、複数の環境快適装置のうち、一つの装置の運転と、他の装置の運転とが連動して行われることとなる。従って、例えば、相互に機能が補完し合う装置を連動させて運転することが可能となり、室内を快適な空間とすることができる。
【発明の効果】
【００２２】
本願発明の第１の手段によれば、相互通信可能な通信機能を具備した複数の環境快適装置からなるネットワーク家電において、前記複数の環境快適装置のうち、温度センサーあるいは湿度センサーを具備していない装置を、温度センサーあるいは湿度センサーを具備した装置からの温度データあるいは湿度データを受信して、当該温度データあるいは湿度データに基づいて運転制御し得るように構成して、複数の環境快適装置のうち、温度センサーあるいは湿度センサーを具備していない装置であっても、温度センサーあるいは湿度センサーを具備した装置からの温度データあるいは湿度データを受信して、当該温度データあるいは湿度データに基づいて運転制御されるようにしたので、温度センサーあるいは湿度センサーを具備していない装置でも、温度データあるいは湿度データに基づいた快適空間創成のために有効な運転制御を行うことができるという効果がある。
【００２３】
本願発明の第２の手段によれば、相互通信可能な通信機能を具備した複数の環境快適装置からなるネットワーク家電において、前記複数の環境快適装置のうち、温度センサーあるいは湿度センサーを具備している装置を、温度センサーあるいは湿度センサーを具備した他の装置からの温度データあるいは湿度データを受信して、自身の温度データあるいは湿度データに温度センサーあるいは湿度センサーを具備した他の装置からの温度データあるいは湿度データを加味した温度データあるいは湿度データに基づいて運転制御し得るように構成して、複数の環境快適装置のうち、温度センサーあるいは湿度センサーを具備している装置が、温度センサーあるいは湿度センサーを具備した他の装置からの温度データあるいは湿度データを受信して、自身の温度データあるいは湿度データに温度センサーあるいは湿度センサーを具備した他の装置からの温度データあるいは湿度データを加味した温度データあるいは湿度データに基づいて運転制御されるようにしたので、複数の環境快適装置が、自身の温度データあるいは湿度データに温度センサーあるいは湿度センサーを具備した他の装置からの温度データあるいは湿度データを加味した温度データあるいは湿度データに基づいた運転制御が実行されることとなり、環境快適装置の設置位置での温度データあるいは湿度データのばらつきを吸収した制御が得られるという効果がある。
【００２４】
本願発明の第３の手段によれば、相互通信可能な通信機能を具備した複数の環境快適装置からなるネットワーク家電において、前記複数の環境快適装置に、温度センサーあるいは湿度センサーをそれぞれ付設するとともに、これらの温度センサーあるいは湿度センサーの検知データに所定の値以上の差異がある場合には、これらの検知データの平均値に基づいて前記複数の環境快適装置を運転制御し得るように構成して、複数の環境快適装置にそれぞれ付設された温度センサーあるいは湿度センサーの検知データに所定の値以上の差異がある場合には、これらの検知データの平均値に基づいて前記複数の環境快適装置が運転制御されるようにしたので、環境快適装置の設置位置での温度データあるいは湿度データのばらつきを吸収した快適空間が得られるという効果がある。
【００２５】
本願発明の第４の手段によれば、相互通信可能な通信機能を具備した複数の環境快適装置からなるネットワーク家電において、前記複数の環境快適装置に、温度センサーあるいは湿度センサーをそれぞれ付設するとともに、これらの温度センサーあるいは湿度センサーの検知データに所定の値以上の差異がある場合には、前記複数の環境快適装置における吹出風あるいは排気風の向きを空気の対流を促す方向で自動調整できるように構成して、複数の環境快適装置にそれぞれ付設された温度センサーあるいは湿度センサーの検知データに所定の値以上の差異がある場合には、室内の空気状態に片寄りが発生していると判断して、複数の環境快適装置における吹出風あるいは排気風の向きが空気の対流を促す方向で自動調整されるようにしたので、室内の空気状態に片寄りが発生している場合には、複数の環境快適装置における吹出風あるいは排気風の向きが空気の対流を促す方向で自動調整されることとなり、室内を快適な空間となすことができるという効果がある。
【００２６】
本願発明の第５の手段によれば、相互通信可能な通信機能を具備した複数の環境快適装置からなるネットワーク家電において、ユーザが希望の設定温度あるいは設定湿度を手動操作により設定できるようにするとともに、当該設定温度あるいは設定湿度に応じて前記複数の環境快適装置を自動で連携運転制御できるように構成して、ユーザが設定した設定温度あるいは設定湿度に応じて複数の環境快適装置が自動で連携運転制御されるようにしたので、室内環境を、ユーザが希望した快適な状態となし得るという効果がある。
【００２７】
本願発明の第６の手段によれば、相互通信可能な通信機能を具備した複数の環境快適装置からなるネットワーク家電において、前記複数の環境快適装置のうち、一つの装置の運転と、他の装置の運転とが連動して行われるように構成して、複数の環境快適装置のうち、一つの装置の運転と、他の装置の運転とが連動して行われるようにしたので、例えば、相互に機能が補完し合う装置を連動させて運転することが可能となり、室内を快適な空間とすることができるという効果がある。
【発明を実施するための最良の形態】
【００２８】
以下、添付の図面を参照して、本願発明の幾つかの好適な実施の形態について説明する。
【００２９】
第１の実施の形態
図１および図２には、本願発明の第１の実施の形態にかかるネットワーク家電の構成が示されている。
【００３０】
このネットワーク家電は、図１に示すように、複数の環境快適装置（即ち、エアコン１、空気清浄機２、加湿器３および除湿器４）からなっており、それぞれの装置（即ち、エアコン１、空気清浄機２、加湿器３および除湿器４）には、相互通信可能な通信機能として作用する通信インターフェース５，６，７，８がそれぞれ付設されている。また、前記エアコン１には、温度センサー９および湿度センサー１０が付設され、前記空気清浄機２には、空気の汚れ度を検知する汚れ度センサー１１が付設され、前記加湿器３には、湿度センサー１２が付設され、前記除湿器４には、湿度センサー１３が付設されている。符号１４は共通の入力装置であり、該入力装置１４によってユーザにより「設定室温Ｔｓ」、「設定湿度Ｄｓ」、「設定汚れ度Ｘｓ」が設定されることとなっている。
【００３１】
本実施の形態においては、図２に示すように、エアコン１においては、温度センサー９、湿度センサー１０、冷暖切換スイッチ１５および通信インターフェース５からの信号が制御部１６に入力され、該制御部１６からは、室外ファン１７、室内ファン１８、四路切換弁１９、膨張弁２０、風向ルーバ２１および通信インターフェース５に対して制御信号が出力され、空気清浄機２においては、運転スイッチ２２、汚れ度センサー１１および通信インターフェース６からの信号が制御部２３に入力され、該制御部２３からは、ファン２４および通信インターフェース６に対して制御信号が出力され、加湿器３においては、運転スイッチ２５、湿度センサー１２および通信インターフェース７からの信号が制御部２６に入力され、該制御部２６からは、ファン２７および通信インターフェース７に対して制御信号が出力され、除湿器４においては、運転スイッチ２８、湿度センサー１３および通信インターフェース８からの信号が制御部２９に入力され、該制御部２９からは、ファン３０および通信インターフェース８に対して制御信号が出力されることとなっている。
【００３２】
上記構成において、入力装置１４によってユーザにより「設定室温Ｔｓ」、「設定湿度Ｄｓ」、「設定汚れ度Ｘｓ」が設定されると、エアコン１、空気清浄機２、加湿器３および除湿器４は、それぞれに付設された温度センサー９、汚れ度センサー１１、湿度センサー１０，１２，１３の検出データに基づいて運転制御される。この時、互いに逆の機能を有する加湿器３と除湿器４とは同時に運転されることはない。なお、入力装置１４に代えて、テレビ、パソコン等を用いてもよい。
【００３３】
ところで、エアコン１と加湿器３および除湿器４とが運転されている状態において、上記湿度センサー１０，１２，１３の検知データＤ1，Ｄ2，Ｄ3に所定の値以上の差異が生ずる場合がある。これは、エアコン１と加湿器３および除湿器４の設置位置あるいは負荷変動により生ずるものと思われる。この場合には、これらの検知データＤ1，Ｄ2，Ｄ3の平均値Ｄｈに基づいてエアコン１、加湿器３および除湿器４の運転制御が行われる。
【００３４】
上記運転制御について、図３に示すフローチャートを参照して説明する。
【００３５】
ステップＳ１においてエアコン１および空気清浄機２の運転が開始されると、ステップＳ２において湿度センサー１０，１２，１３の検知データＤ1，Ｄ2，Ｄ3が読み取られる。ついで、ステップＳ３において前記検知データＤ1，Ｄ2，Ｄ3に所定の値以上の差異があるか否かが判定され、ここで肯定判定された場合（即ち、Ｄ1≠Ｄ2≠Ｄ3と判定された場合）には、ステップＳ４において検知データＤ1，Ｄ2，Ｄ3の平均値Ｄｈ＝（Ｄ1＋Ｄ2＋Ｄ3）／３が計算され、ステップＳ５においてこの平均値Ｄｈと設定値Ｄｓとの比較がなされる。ここで、Ｄｈ≧Ｄｓと判定された場合には、ステップＳ６において加湿器３が駆動停止され且つ除湿器４が駆動開始される。つまり、室内の湿度を低減させる運転制御が開始されることとなるのである。その後、制御はステップＳ１へリターンする。ステップＳ５においてＤｈ＜Ｄｓと判定された場合には、ステップＳ７において加湿器３が駆動開始され且つ除湿器４が駆動停止される。つまり、室内の湿度を増大させる運転制御が開始されることとなるのである。その後、制御はステップＳ１へリターンする。
【００３６】
一方、ステップＳ３において否定判定された場合（即ち、Ｄ1≒Ｄ2≒Ｄ3と判定された場合）には、ステップＳ８においてエアコン１の湿度センサー１０の検知データＤ1と設定値Ｄｓとの比較がなされる。ここで、Ｄ1≧Ｄｓと判定された場合には、ステップＳ９において加湿器３が駆動停止され且つ除湿器４が駆動開始される。つまり、室内の湿度を低減させる運転制御が開始されることとなるのである。その後、制御はステップＳ１へリターンする。ステップＳ８においてＤｈ＜Ｄｓと判定された場合には、ステップＳ１０において加湿器３が駆動開始され且つ除湿器４が駆動停止される。つまり、室内の湿度を増大させる運転制御が開始されることとなるのである。その後、制御はステップＳ１へリターンする。
【００３７】
ところで、前記エアコン１は、自身が具備している温度センサー９の検知データＴと設定値Ｔｓとの比較に基づいて運転制御され、前記空気清浄機２は、自身が具備している汚れ度センサー１１の検知データＸと設定値Ｘｓとの比較に基づいて運転制御される。
【００３８】
上記したように、複数の環境快適装置（即ち、エアコン１、加湿器３、除湿器４）にそれぞれ付設された湿度センサー１０，１２，１３の検知データＤ1，Ｄ2，Ｄ3に所定の値以上の差異がある場合には、これらの検知データＤ1，Ｄ2，Ｄ3の平均値Ｄｈに基づいて前記複数の環境快適装置（即ち、エアコン１、加湿器３、除湿器４）が運転制御されることとなる。従って、環境快適装置（即ち、エアコン１、加湿器３、除湿器４）の設置位置での湿度データＤ1，Ｄ2，Ｄ3のばらつきを吸収した快適空間が得られる。
【００３９】
上記説明では、複数の環境快適装置のうち、加湿器３および除湿器４を、エアコン１、加湿器３および除湿器４の湿度センサー１０，１２，１３からの湿度データＤ1，Ｄ2，Ｄ3の平均値Ｄｈに基づいて運転制御することとしているが、加湿器３および除湿器４の湿度センサー１２，１３の検知データＤ2，Ｄ3に対して、他の装置の検知データを加味させた値（換言すれば、補正した値）に基づいて運転制御するようにしてもよい。
【００４０】
なお、上記説明では、検知データＤ1，Ｄ2，Ｄ3に所定の値以上の差異がないと判定された場合には、エアコン１の湿度センサー１０による検知データＤ1を受信して、該検知データＤ1に基づいて加湿器３および除湿器４の運転制御を行うようにしているが、加湿器３および除湿器４に湿度センサーを具備している場合には、それぞれの湿度センサー１２，１３の検知データＤ2，Ｄ3に基づいて加湿器３および除湿器４の運転制御を行うようにしてもよい。
【００４１】
また、湿度センサーとしては、エアコン、加湿器および除湿器が具備したもの以外のもも採用することもできる。
【００４２】
さらに、これらの湿度センサー１０，１２，１３の検知データＤ1，Ｄ2，Ｄ3に所定の値以上の差異がある場合には、複数の環境快適装置（エアコン１、空気清浄機２、加湿器３、除湿器４）における吹出風あるいは排気風の向きを空気の対流を促す方向で自動調整できるようにしてもよい。その場合、室内の空気状態に片寄りが発生していても、複数の環境快適装置（エアコン１、空気清浄機２、加湿器３、除湿器４）における吹出風あるいは排気風の向きが空気の対流を促す方向で自動調整され、室内を快適な空間となすことができる。
【００４３】
さらにまた、空気清浄機２、加湿器３および除湿器４に温度センサーが付設されている場合には、温度センサーの検知データに基づいて上記と同様な運転制御を行い得ることは勿論である。
【００４４】
第２の実施の形態
図４には、本願発明の第２の実施の形態にかかるネットワーク家電の構成が示されている。
【００４５】
この場合、加湿器３および除湿器４は、湿度センサーを具備しておらず、加湿器３および除湿器４は、エアコン１の湿度センサー１０の検知データＤ1を受信して、該検知データＤ1に基づいて運転制御されることとなっている。
【００４６】
上記運転制御について、図４に示すフローチャートを参照して説明する。
【００４７】
ステップＳ１においてエアコン１および空気清浄機２の運転が開始されると、ステップＳ２において湿度センサー１０の検知データＤ1が読み取られ、ステップＳ２においてこの検知データＤ1と設定値Ｄｓとの比較がなされる。ここで、Ｄ1≧Ｄｓと判定された場合には、ステップＳ３において加湿器３が駆動停止され且つ除湿器４が駆動開始される。つまり、室内の湿度を低減させる運転制御が開始されることとなるのである。その後、制御はステップＳ１へリターンする。ステップＳ２においてＤ1＜Ｄｓと判定された場合には、ステップＳ４において加湿器３が駆動開始され且つ除湿器４が駆動停止される。つまり、室内の湿度を増大させる運転制御が開始されることとなるのである。その後、制御はステップＳ１へリターンする。
【００４８】
ところで、前記エアコン１は、自身が具備している温度センサー９の検知データＴと設定値Ｔｓとの比較に基づいて運転制御され、前記空気清浄機２は、自身が具備している汚れ度センサー１１の検知データＸと設定値Ｘｓとの比較に基づいて運転制御される。
【００４９】
上記したように、複数の環境快適装置（エアコン１、空気清浄機２、加湿器３、除湿器４）のうち、湿度センサーを具備していない装置（加湿器３、除湿器４）であっても、湿度センサーを具備した装置（エアコン１）からの湿度データＤ1を受信して、当該湿度データＤ1に基づいて運転制御されることとなっているので、湿度センサーを具備していない装置（加湿器３、除湿器４）でも、湿度データＤ1に基づいた快適空間創成のために有効な運転制御を行うことができる。
【００５０】
さらに、空気清浄機２、加湿器３および除湿器４に温度センサーが付設されている場合には、温度センサーの検知データに基づいて上記と同様な運転制御を行い得ることは勿論である。
【００５１】
その他の構成および作用効果は、第１の実施の形態におけると同様なので説明を省略する。
【００５２】
第３の実施の形態
図６には、本願発明の第３の実施の形態にかかるネットワーク家電の構成が示されている。
【００５３】
この場合、複数の環境快適装置（エアコン１、空気清浄機２、加湿器３、除湿器４）は、携帯電話３１により、ユーザが希望の「設定室温Ｔｓ」、「設定湿度Ｄｓ」、「設定汚れ度Ｘｓ」を入力することとなっており、エアコン１、空気清浄機２、加湿器３および除湿器４は、それぞれに付設された温度センサー９、汚れ度センサー１１、湿度センサー１０，１２，１３の検出データに基づいて運転制御される。この時、互いに逆の機能を有する加湿器３と除湿器４とは同時に運転されることはない。このようにすると、設定値に応じて複数の環境快適装置を自動で連携運転制御できるように構成している。
【００５４】
このようにすると、ユーザが設定した設定温度あるいは設定湿度に応じて複数の環境快適装置（エアコン１、空気清浄機２、加湿器３、除湿器４）が自動で連携運転制御されることとなる。従って、室内環境を、ユーザが希望した快適な状態となし得る。
【００５５】
第４の実施の形態
図７には、本願発明の第４の実施の形態にかかるネットワーク家電の運転制御の内容を示すフローチャートが示されている。
【００５６】
この場合、暖房器具（例えば、暖房運転されているエアコン１）と加湿器３とが連携運転制御されることとなっている。
【００５７】
ステップＳ１においてエアコン１が暖房運転され且つ空気清浄機２が運転開始されると、ステップＳ２において所定時間が経過したか否かの判定がなされる。ここで、肯定判定されると、ステップＳ３において加湿器３の運転が開始される。その後、ステップＳ４において加湿器３の湿度センサー１２の検知データＤ2が読み取られ、ステップＳ５において検知データＤ2と設定値Ｄｓとの比較がなされる。ここで、Ｄ2≧Ｄｓと判定された場合には、ステップＳ６において加湿器３の運転が停止され、その後ステップＳ４に戻り、その後の制御が繰り返される。ステップＳ５においてＤ2＜Ｄｓと判定された場合には、ステップＳ７においてエアコン１の暖房運転が停止されたか否かの判定がなされる。ここで、肯定判定された場合には、ステップＳ８において加湿器３の運転が停止され、制御は終了する。ステップＳ７において否定判定された場合には、ステップＳ４に戻り、その後の制御を繰り返す。本実施の形態におけるように、エアコン１および空気清浄機２の運転開始後、所定時間が経過するのを待って加湿器３の運転を開始するようにした場合、室内が実際に乾燥状態となった時点で加湿器３の運転が開始されることとなるところから、省エネとなるが、エアコン１および空気清浄機２の運転開始と同時に加湿器３の運転を開始するようにしてもよい。
【００５８】
上記したように、複数の環境快適装置（例えば、暖房運転中のエアコン１と加湿器３）のうち、一つの装置の運転と、他の装置の運転とが連動して行われるようにしたことにより、例えば、相互に機能が補完し合う装置（例えば、暖房運転中のエアコン１と加湿器３）を連動させて運転することが可能となり、室内を快適な空間とすることができる。
【００５９】
その他の構成および作用効果は、第１の実施の形態におけると同様なので説明を省略する。
【００６０】
なお、複数の環境快適装置を自動で駆動制御する場合には、駆動する装置に優先順位を設けるのが望ましい。例えば、省エネを考慮すれば、消費電力の小さい装置から順に駆動するようにすればよい。
【図面の簡単な説明】
【００６１】
【図１】本願発明の第１の実施の形態にかかるネットワーク家電の構成図である。
【図２】本願発明の第１の実施の形態にかかるネットワーク家電のブロック図である。
【図３】本願発明の第１の実施の形態にかかるネットワーク家電の運転制御の内容を示すフローチャートである。
【図４】本願発明の第２の実施の形態にかかるネットワーク家電の構成図である。
【図５】本願発明の第２の実施の形態にかかるネットワーク家電の運転制御の内容を示すフローチャートである。
【図６】本願発明の第３の実施の形態にかかるネットワーク家電の構成図である。
【図７】本願発明の第４の実施の形態にかかるネットワーク家電の運転制御の内容を示すフローチャートである。
【符号の説明】
【００６２】
１は環境快適装置（エアコン）
２は環境快適装置（空気清浄機）
３は環境快適装置（加湿器）
４は環境快適装置（除湿器）
５，６，７，８は通信インターフェース
９は温度センサー
１０，１２，１３は湿度センサー
１１は汚れ度センサー
１４は入力装置
【図１】
2005344940.tif 000003
【図２】
2005344940.tif 000004
【図３】
2005344940.tif 000005
【図４】
2005344940.tif 000006
【図５】
2005344940.tif 000007
【図６】
2005344940.tif 000008
【図７】
2005344940.tif 000009